(57)【要約】【課題】蓄電池の使用状態に応じてリフレッシュ放電が行え、浅い充放電を繰り返す場合でもリフレッシュ放電が行え、かつリフレッシュ放電に特殊な器具を不要とした蓄電池充放電装置を提供する。【解決手段】蓄電池充放電装置において、リフレッシュ放電可能な時期を設定スイッチ４にて予め設定し、設定スイッチ４にて設定された時期でありかつ蓄電池１の端子電圧がリフレッシュ放電可能電圧であると判別したとき、制御回路３の制御の下に放電スイッチ８および放電回路９を制御して、リフレッシュ放電を行わせるようにした。【選択図】        図１
2005151737.tif 000002
【特許請求の範囲】
【請求項１】
蓄電池充放電装置において、リフレッシュ放電可能な時期を予め設定する設定手段と、設定手段によって設定された時期でありかつ蓄電池端子電圧がリフレッシュ放電可能電圧であると判別したときリフレッシュ放電を行わせるリフレッシュ放電制御手段とを備えたことを特徴とする蓄電池充放電装置。
【請求項２】
請求項１記載の蓄電池充放電装置において、設定手段は、リフレッシュ放電可能な時期を曜日と時間帯によって設定することを特徴とする蓄電池充放電装置。
【請求項３】
請求項１記載の蓄電池充放電装置において、リフレッシュ放電制御装置は、設定手段によって設定された時期において蓄電池端子電圧がリフレッシュ放電可能電圧でないと判別したときリフレッシュ放電可能電圧にまで蓄電池を充電した後リフレッシュ放電を行わせることを特徴とする蓄電池充放電装置。
【発明の詳細な説明】
【技術分野】
【０００１】
本発明は蓄電池の充放電を行う蓄電池充放電装置に関する。
【背景技術】
【０００２】
蓄電池、特にＮｉ−Ｃｄ、Ｎｉ−ＭＨ等のニッケルを正極に用いる蓄電池に対して浅い充放電を繰り返すと、蓄電池の放電容量が減少することが知られている。この減少はメモリ効果と呼ばれており、従来からメモリ効果を回避する目的で、蓄電池を一旦放電させてから充電させるリフレッシュ放電がなされている。
【０００３】
リフレッシュ放電は蓄電池から放電器に電流を流すことで行われる。放電器は負荷により構成されており、流された電流を熱に変換する。リフレッシュ放電は放電器の発熱、急激な充放電により蓄電池を消耗させることを考慮して小電流で行われる。このためにリフレッシュ放電は、時間が必要な処理となっており、従来から使用者の利便を考慮して自動化などの検討がなされている。
【０００４】
その一つとして、蓄電池が負荷に接続された状態において所定電圧以下の端子電圧検出により放電を開始するリフレッシュ放電が提案されている（例えば、特許文献１参照）。
【特許文献１】特開平５−１８２６９４号公報
【０００５】
また、使用者が必要に応じて放電用アダプタを蓄電池に接続することにより放電を開始させるリフレッシュ放電が提案されている（例えば、特許文献２参照）。
【特許文献２】特開平４−３４９３７０号公報
【０００６】
また、リフレッシュ放電に必要な時間を演算して表示することにより、利用者の使い勝手を向上させたリフレッシュ放電が提案されている（例えば、特許文献３参照）。
【特許文献３】特開２００２−０１７０４９号公報
【０００７】
従来における代表的なリフレッシュ放電の手順例を図４のフローチャートに示す。蓄電池の端子電圧を検出し（ステップＳ１１）、蓄電池の端子電圧が設定電圧以下に低下したか否かをチェックし（ステップＳ１２）、蓄電池の端子電圧が設定電圧以下の電圧であると判別したときはリフレッシュ放電を行い（ステップＳ１３）、次いで充電を行う（ステップＳ１４）。ステップＳ１２において、蓄電池の端子電圧が設定電圧以下の電圧でないと判別されると充電を開始する（ステップＳ１４）。ステップＳ１４の充電により蓄電池の端子電圧が充電を終了する電圧に達した場合、充電を終了させる（ステップＳ１５）。
【発明の開示】
【発明が解決しようとする課題】
【０００８】
しかしながら、上記した従来のリフレッシュ放電において、蓄電池の端子電圧が所定電圧以下に低下したことを検出したときから放電を開始する方式では、すぐに充電をしたい場合も、使用者の意に反してリフレッシュ放電を開始するという問題の他に、蓄電池が浅い充放電を繰り返す場合に、リフレッシュ放電を行わないという問題があった。
【０００９】
また、放電用アダプタによりリフレッシュ放電を行う場合には、特別な装置として放電用アダプタが必要となるほか、それを紛失したり、誤使用したりするという問題があった。リフレッシュ放電に必要な時間を表示する方法では、必要な時間の表示により使用者がリフレッシュ放電の可否を判断しており、リフレッシュ放電が行われない場合も生ずるという問題があった。
【００１０】
本発明は、蓄電池の使用状態に応じてリフレッシュ放電が行え、浅い充放電を繰り返す場合でもリフレッシュ放電が行え、かつリフレッシュ放電に特殊な器具を不要とした蓄電池充放電装置を提供することを目的とする。
【課題を解決するための手段】
【００１１】
本発明にかかる蓄電池充放電装置は、リフレッシュ放電可能な時期を予め設定する設定手段と、設定手段によって設定された時期でありかつ蓄電池端子電圧がリフレッシュ放電可能電圧であると判別したときリフレッシュ放電を行わせるリフレッシュ放電制御手段とを備えたことを特徴とする。
【００１２】
本発明にかかる蓄電池充放電装置において、設定手段は、リフレッシュ放電可能な時期を曜日と時間帯によって設定するようにしてもよい。
【００１３】
本発明にかかる蓄電池充放電装置において、リフレッシュ放電制御装置は、設定手段によって設定された時期において蓄電池端子電圧がリフレッシュ放電可能電圧でないと判別したときリフレッシュ放電可能電圧にまで蓄電池を充電した後リフレッシュ放電を行わせるようにしてもよい。
【発明の効果】
【００１４】
本発明にかかる蓄電池充放電装置によれば、リフレッシュ放電可能な時期が設定手段によって予め設定され、設定された時期でありかつ蓄電池端子電圧がリフレッシュ放電可能電圧であると判別されたときリフレッシュ放電制御手段の制御の下にリフレッシュ放電が行われるため、浅い充放電を繰り返す場合でも定期的にリフレッシュ放電が行われることになる。
【００１５】
本発明にかかる蓄電池充放電装置における設定手段によるリフレッシュ放電可能な時期の設定を曜日と時間帯によって行うようにしてもよく、このようにしたときは設定された曜日でありかつ設定された時間帯においてリフレッシュ放電が行われることになる。
【００１６】
本発明にかかる蓄電池充放電装置におけるリフレッシュ放電制御装置にて、設定手段によって設定された時期において蓄電池端子電圧がリフレッシュ放電可能電圧でないと判別したときリフレッシュ放電可能電圧にまで蓄電池を充電した後リフレッシュ放電を行わせるようにしてもよく、このようにしたときはリフレッシュ放電可能な時期において蓄電池端子電圧がリフレッシュ放電可能な電圧でないとき、リフレッシュ放電可能な電圧になるまで充電したうえでリフレッシュ放電を行わせることになり蓄電池を活性化させることができる。
【発明を実施するための最良の形態】
【００１７】
以下、本発明にかかる蓄電池充放電装置を実施の一形態によって説明する。
【００１８】
図１は本発明の実施の一形態にかかる蓄電池充放電装置の構成を示すブロック図である。
【００１９】
本発明の実施の一形態にかかる蓄電池充放電装置１０は、図１に示すごとく、Ａ／Ｄ変換器２、制御回路３、設定スイッチ４、時計手段を構成するタイマ５、充電スイッチ６、充電回路７、リフレッシュ放電スイッチ８および放電回路９を備えている。
【００２０】
制御回路３は例えばマイクロコンピュータから構成され、蓄電池充放電回路１０に接続された蓄電池１の端子電圧をＡ／Ｄ変換器２によってデジタルデータに変換し、制御回路３に供給して蓄電池１の端子電圧を検出し、かつ蓄電池１の端子電圧がリフレッシュ放電可能電圧か否かと、蓄電池１の端子電圧が設定リフレッシュ放電終了電圧か否かと、端子電圧が設定した充電終了電圧か否か等を検出し、使用者が予め設定スイッチ４にて設定したリフレッシュ放電可能曜日でありかつ時間帯であることをタイマ５による計時を参照して検出し、リフレッシュ放電時が設定スイッチ４に設定されたリフレッシュ放電可能曜日でありかつ時間帯であるか否かの判別に基づいて、制御回路３の制御の下に放電スイッチ８のオン・オフを制御して放電回路９によりリフレッシュ放電の開始、終了を制御し、制御回路３の制御の下に充電スイッチ６のオン・オフを制御すると共に充電回路７を制御して充電の開始、終了を制御する。
【００２１】
設定スイッチ４は例えばディップスイッチで構成され、設定スイッチ４によって、例えば図３に示すように、リフレッシュ放電を行う曜日と朝、昼、晩の時間帯の設定が行われる。図３に示した例では、土曜日の晩からリフレッシュ放電を可能とする設定がされている。
【００２２】
上記のように構成された蓄電池充放電装置１０の作用を図２に示すフローチャートに基づいて説明する。
【００２３】
蓄電池充放電装置１０に蓄電池１が電気的に接続されると、蓄電池１の出力電圧がＡ／Ｄ変換器２によってデジタルデータに変換されて検出され（ステップＳ１）、次いで設定スイッチ４により設定された時間帯、すなわちリフレッシュ放電可能と設定された曜日でありかつリフレッシュ放電可能と設定された時間帯であるか否かがチェックされる（ステップＳ２）。ステップＳ２においてリフレッシュ放電可能と設定された曜日で無くかつリフレッシュ放電可能と設定された時間帯でないと判別されたときは充電スイッチ６がオン状態に制御され、充電回路７が動作状態に制御されて、充電回路７の作用の下に蓄電池１が充電され（ステップＳ８）、蓄電池１の端子電圧が充電終了電圧に達するまで充電が行われる（ステップＳ９）。ステップＳ９において蓄電池１の端子電圧が充電終了電圧に達すると充電は終了する。
【００２４】
ステップＳ２においてリフレッシュ放電可能と設定された曜日でありかつリフレッシュ放電可能と設定された時間帯であると判別されたときは、蓄電池１の端子電圧が予め定めた所定範囲の電圧、すなわちリフレッシュ放電可能な電圧か否かがチェックされ（ステップＳ３）、蓄電池１の端子電圧がリフレッシュ放電可能な電圧であると判別されたときはリフレッシュ放電スイッチ８がオン状態に制御されてリフレッシュ放電が開始され（ステップＳ４）、次いで蓄電池１の端子電圧がリフレッシュ放電終了電圧に達するまでリフレッシュ放電が行われる（ステップＳ７）。ステップＳ７において、蓄電池１の端子電圧がリフレッシュ放電終了電圧に達したときは、リフレッシュ放電スイッチ８に代わって充電スイッチ６がオン状態に制御され、充電回路７が動作状態にされて、ステップＳ７に続き蓄電池１の端子電圧が充電終了電圧に達するまで充電が行われる（ステップＳ８およびＳ９）。
【００２５】
ステップＳ３において蓄電池１の端子電圧がリフレッシュ放電可能な電圧以下、すなわち前記予め定めた所定範囲以下の電圧であると判別されたときは、蓄電池１の充電が行われる（ステップＳ５）。すなわち、リフレッシュ放電可能と設定された曜日でありかつリフレッシュ放電可能と設定された時間帯であると判別されると共に、蓄電池１の端子電圧がリフレッシュ放電可能な電圧でないと判別されたときは、一旦充電がなされることになる。ステップＳ５の充電は蓄電池１の端子電圧がリフレッシュ放電可能電圧に達するまで継続され（ステップＳ６）、蓄電池１の端子電圧がリフレッシュ放電可能電圧にまで達した判別されたときは、ステップＳ６に続きリフレッシュ放電の実行、すなわちステップＳ４から実行される。
【００２６】
ここで、ステップＳ５およびＳ６を実行するのは、リフレッシュ放電可能電圧よりも低い蓄電池端子電圧のときは、リフレッシュ放電をしてもリフレッシュ効果が少ないため、一旦ステップＳ５にて蓄電池端子電圧がリフレッシュ放電可能電圧に達するまで充電を行って、蓄電池端子電圧がリフレッシュ放電可能電圧に達してから、ステップＳ６にてリフレッシュ放電を開始させるのである。
【００２７】
なお、上記した例では設定スイッチ４にディップスイッチを用いたが、ディップスイッチに代わって、記憶素子を用いて記憶素子に記憶させた情報を用いてもよく、またディップスイッチに代わってロータリースイッチを用いてもよい。また、設定スイッチ４によってリフレッシュ放電可能な日を指定するようにしてもよい。
【００２８】
上記したように、蓄電池充放電装置１０によるときは、リフレッシュ放電可能な時期を指定するようにしたため、該指定された時期においてリフレッシュ放電が行われることになり、浅い充放電を繰り返す場合でも定期的にリフレッシュ放電が行える。また、リフレッシュ放電可能な時期において蓄電池１の端子電圧がリフレッシュ放電可能な電圧でないときはリフレッシュ放電可能な電圧になるまで充電したうえでリフレッシュ放電を行わせることにより蓄電池１を活性化させることができる。このようにすることにより蓄電池の使用状況に応じて充電前のリフレッシュ放電が行える。
【００２９】
さらに、蓄電池充放電装置１０によるときは、放電用アダプタは不要であり、充電完了時刻を表示するようなことも必要ない。
【００３０】
次に蓄電池駆動の無線通信機の場合を例に、蓄電池充放電装置の運用について具体的に説明する。
【００３１】
蓄電池駆動の無線通信機において、業務中に無線通信機を使用したために減少した蓄電池容量を素早く回復させる目的で昼休み中に充電を行う場合がある。また、休業中は業務で無線通信機を使用しないために、一日以上にわたって継続して無線通信機の蓄電池を充電するようなこともある。
【００３２】
そこで、蓄電池充放電制御装置１０では、休憩時における無線通信機の運用を考慮して、蓄電池のリフレッシュ放電を行える曜日および時間帯を例えば、図３に示すように適切なタイミングに設定することができる。
【００３３】
また、業務で蓄電池に接続された電気機器を使用しているとき、休憩時に蓄電池を蓄電池充放電装置１０にセットすることによって、減少した蓄電池容量を素早く回復させることができる。休日で蓄電池に接続される機器を使用することがないとき、休日前の終了時に蓄電池を蓄電池充放電装置１０にセットすることで、リフレッシュ放電を行った後に充電を行わせて、メモリ効果による放電容量の減少を防ぐことができる。
【００３４】
上記したように、蓄電池充放電装置１０を用いることによって、蓄電池の運用状況に着目してリフレッシュ放電をする曜日および時間帯を設定することができるため、蓄電池の使用状態に応じて充電前にリフレッシュ放電させるか否かを自動的に選択させることができる。
【図面の簡単な説明】
【００３５】
【図１】本発明の実施の一形態にかかる蓄電池充放電装置の構成を示すブロック図である。
【図２】本発明の実施の一形態にかかる蓄電池充放電装置の作用の説明に供するフローチャートである。
【図３】本発明の実施の一形態にかかる蓄電池充放電装置におけるリフレッシュ放電設定例を示す説明図である。
【図４】従来のリフレッシュ放電の説明に供するフローチャートである。
【符号の説明】
【００３６】
１  蓄電池
２  Ａ／Ｄ変換器
３  制御回路
４  設定スイッチ
５  タイマ
６  充電スイッチ
７  充電回路
８  リフレッシュ放電スイッチ
９  放電回路
１０  蓄電池充放電装置
【図１】
2005151737.tif 000003
【図２】
2005151737.tif 000004
【図３】
2005151737.tif 000005
【図４】
2005151737.tif 000006